(57)【要約】【課題】小用時における標的として利用しようとする興味を持たせることができ、尿の飛散防止効果の高い男性便器用の標的玩具を提供する。【解決手段】尿受け容器１１および水車２１は、吸盤によって男性用小便器の内面に取り付け可能であり、尿受け容器１１の下方に水車２１が配置される。尿受け容器１１の底には孔１１Ａが設けられており、尿受け容器１１を標的として用を足したとき、尿受け容器１１の内部空間に溜められた尿は孔１１Ａから落下する。水車２１は孔１１Ａから落下する尿にて回転する。【選択図】図１
0003189324.tif 000002
【実用新案登録請求の範囲】
【請求項１】
尿受け容器と、
前記尿受け容器の下方に配置される水車とを備えており、
尿受け容器の底には孔が設けられており、前記水車は前記孔から落下する尿にて回転することを特徴とする男性便器用の標的玩具。
【請求項２】
請求項１に記載の男性便器用の標的玩具であって、
前記尿受け容器と前記水車とは、吸盤にて男性用小便器の内面に取り付けられることを特徴とする男性便器用の標的玩具。
【請求項３】
請求項１または２に記載の男性便器用の標的玩具であって、
前記水車は、六角形柱から八角形柱の多角形柱であることを特徴とする男性便器用の標的玩具。
【請求項４】
請求項３に記載の男性便器用の標的玩具であって、
前記水車の各外周面は、シールを貼付可能な平坦面となっていることを特徴とする男性便器用の標的玩具。
【請求項５】
請求項１から４の何れか一項に記載の男性便器用の標的玩具であって、
前記水車の外周面には、前記尿受け容器の前記孔から落下する尿を受けるための傾斜部材が設けられていることを特徴とする男性便器用の標的玩具。
【請求項６】
請求項１から５の何れか一項に記載の男性便器用の標的玩具であって、
前記水車が複数設けられており、それぞれの水車は互いに独立して回転可能であることを特徴とする男性便器用の標的玩具。
【請求項７】
請求項１から６の何れか一項に記載の男性便器用の標的玩具であって、
前記水車は、消臭剤もしくは芳香剤を格納可能な内部空間を有していることを特徴とする男性便器用の標的玩具。
【請求項８】
請求項１から７の何れか一項に記載の男性便器用の標的玩具であって、
前記水車の回転を適切な位置で停止させるための停止手段を備えていることを特徴とする男性便器用の標的玩具。
【請求項９】
請求項１から８の何れか一項に記載の男性便器用の標的玩具であって、
前記尿受け容器と前記水車とは互いに別体として形成されており、それぞれが個別に男性用小便器の内面に取り付け可能であることを特徴とする男性便器用の標的玩具。
【請求項１０】
請求項１から８の何れか一項に記載の男性便器用の標的玩具であって、
前記尿受け容器と前記水車とは、一体的に男性用小便器の内面に取り付け可能であることを特徴とする男性便器用の標的玩具。
【考案の詳細な説明】
【技術分野】
【０００１】
本考案は、男性用の小便器に取り付け、小用時の標的となる標的玩具に関する。
【背景技術】
【０００２】
男性用の小便器では、従来、便器周辺への尿の飛散を防止するため、便器のほぼ中央に標的となる絵や模様をつけることが考案されている。このような標的は、便器に直に絵や模様を入れたり、便器内面にシールを貼付したりすることが一般的であった。
【考案の概要】
【考案が解決しようとする課題】
【０００３】
しかしながら、上述のような従来技術は、実際に標的として利用されることは少なく、尿の飛散防止効果も十分ではないことが現状である。これは、単なる絵や模様からなる標的では、小用時における変化が無く面白みが無いため、標的として利用しようとする興味を持たせることができないからであると考えられる。
【０００４】
本考案は、上記課題に鑑みてなされたものであり、小用時における標的として利用しようとする興味を持たせることができ、尿の飛散防止効果の高い男性便器用の標的玩具を提供することを目的とする。
【課題を解決するための手段】
【０００５】
上記の課題を解決するために、本考案の標的水車は、尿受け容器と、前記尿受け容器の下方に配置される水車とを備えており、尿受け容器の底には孔が設けられており、前記水車は前記孔から落下する尿にて回転することを特徴としている。
【０００６】
上記の構成によれば、使用者が尿受け容器を標的として用を足したとき、尿受け容器の内部空間に溜められた尿は孔から落下する。水車は孔から落下する尿にて回転する。このような水車の回転によって、小用時における標的として利用しようとする興味を持たせることができ、尿の便器外への飛散を防止する効果を高めることができる。
【０００７】
また、上記標的玩具では、前記尿受け容器と前記水車とは、吸盤にて男性用小便器の内面に取り付けられる構成とすることが好ましい。
【０００８】
また、上記標的玩具では、前記水車は、六角形柱から八角形柱の多角形柱であることが好ましい。また、この標的玩具では、前記水車の各外周面は、シールを貼付可能な平坦面となっていることが好ましい。
【０００９】
上記の構成によれば、水車が回転した後、使用者の正面で止まる面の文字や図柄がランダムに現れることになる。これによって、使用者の興味を誘って、標的玩具を小用時の標的として使用させることができる。
【００１０】
また、上記標的玩具では、前記水車の外周面には、前記尿受け容器の前記孔から落下する尿を受けるための傾斜部材が設けられていることが好ましい。
【００１１】
上記の構成によれば、孔から水車に向けて落下した尿が水車の外周面に沿ってそのまま流れることを防止でき、尿の自重による水車の回転を促進することができる。
【００１２】
また、上記標的玩具では、前記水車が複数設けられており、それぞれの水車は互いに独立して回転可能である構成とすることができる。
【００１３】
また、上記標的玩具では、前記水車は、消臭剤もしくは芳香剤を格納可能な内部空間を有している構成とすることができる。
【００１４】
また、上記標的玩具では、前記水車の回転を適切な位置で停止させるための停止手段を備えている構成とすることができる。
【００１５】
また、上記標的玩具では、前記尿受け容器と前記水車とは互いに別体として形成されており、それぞれが個別に男性用小便器の内面に取り付け可能である構成とすることができる。
【００１６】
また、上記標的玩具では、前記尿受け容器と前記水車とは、一体的に男性用小便器の内面に取り付け可能である構成とすることができる。
【考案の効果】
【００１７】
本考案は、使用者が尿受け容器を標的として用を足したときの水車の回転によって、小用時における標的として利用しようとする興味を持たせることができ、尿の便器外への飛散を防止する効果を高めることができるといった効果を奏する。
【００１８】
また、水車の各外周面に任意の文字や図柄（数字、おみくじ、標語等）の記載されたシールを貼付すれば、さらに使用者の興味を誘って、標的玩具を小用時の標的として使用させることができる。
【図面の簡単な説明】
【００１９】
【図１】本考案の実施の形態に係る標的玩具の斜視図である。
【図２】図１に示す標的玩具の上面図である。
【図３】図１に示す標的玩具の正面図である。
【図４】図１に示す標的玩具の側面図である。
【図５】図１に示す標的玩具の使用形態を示す図である。
【図６】本考案の実施の形態に係る他の標的玩具の使用形態を示す図である。
【考案を実施するための形態】
【００２０】
以下、本考案の実施の形態に係る標的玩具について、図面を参照して詳細に説明する。図１は、本考案の実施形態に係る標的玩具１の外観を示す斜視図である。また、図２は標的玩具１の上面図、図３は正面図、図４は側面図である。
【００２１】
図１〜図４に示す標的玩具１は、大略的に、受け部１０および水車部２０から構成される。
【００２２】
受け部１０は、尿受け容器１１、支持台１２および吸盤１３を備えている。尿受け容器１１は、正面側の斜め上方が開放された容器である。尿受け容器１１の底には、少なくとも一つの孔１１Ａが形成されている（図では２つ）。支持台１２は、その正面側に尿受け容器１１が、背面側に吸盤１３が取り付けられる平面状部材である。すなわち、支持台１２は、板状部材であるか、あるいはフレーム材を平面的に組み合わせてなる部材である。支持台１２は、吸盤１３により便器内面に吸着固定される。
【００２３】
水車部２０は、水車２１、支持台２２および吸盤２３を備えている。水車２１は、側方からみて多角形の断面を有する概ね多角形柱の形状を有している。図１〜図４では、水車２１は八角形柱として図示しているが、本考案はこれに限定されず、他の多角形柱であっても良い。但し、水車２１は、六〜八角形程度の多角形柱とすることが好ましい。また、図１〜図３では、水車２１は２つ設けられているが、本考案はこれに限定されず、水車２１の数は１つでも良くあるいは３つ以上でも良い。水車２１が複数設けられる場合、同一の回転軸を有し、独立して回転可能なように設置される。
【００２４】
支持台２２は、その正面側に水車２１が、背面側に吸盤２３が取り付けられる平面状部材である。すなわち、支持台２２は、板状部材であるか、あるいはフレーム材を平面的に組み合わせてなる部材である。また、支持台２２は、正面側に突出する２本の支持材２２Ａを有しており、支持材２２Ａの先端部に水車２１の回転軸が配置される。尚、水車２１の回転軸は、多角形柱の中心軸である。支持台２２は、吸盤３３により便器内面に吸着固定される。
【００２５】
受け部１０の支持台１２と水車部２０の支持台２２とは、一体的に形成されていても良いが、ここでは別体として形成する例を示している。支持台１２と支持台２２とが別体として形成される場合、これらは互いに連結可能とされ、これらを連結した場合に尿受け容器１１と水車２１とが所定の位置関係にて配置されるようになっている。図４には、支持台１２の下端に設けられた凸部を支持台２２の上端に設けられた凹部に嵌合させて連結する構成が例示されている。
【００２６】
次に、本考案の実施形態に係る標的玩具１の使用形態について、図５を参照して説明する。
【００２７】
使用時における標的玩具１は、吸盤１３及び２３によって男性用小便器の内面に取り付けられる。このとき、受け部１０が水車部２０の上方に配置される。使用者（小便器にて用を足そうとする人）は、尿受け容器１１を標的として用を足す。尿は、尿受け容器１１の内部空間に一旦溜められ、尿受け容器１１の底の孔１１Ａから落下する。
【００２８】
孔１１Ａから落下した尿は水車２１の上に落ち、水車２１を回転させる。このため、尿受け容器１１に設けられる孔１１Ａの数は水車２１の数と同じであり、それぞれの孔１１Ａは水車２１に対応して配置される。
【００２９】
また、水車２１にはフランジ部２１Ａ（図１参照）と水受け部（傾斜部材）２１Ｂとが設けられており、孔１１Ａから水車２１に向けて落下した尿は、水車の外周面に沿ってそのまま流れることはなく、フランジ部２１Ａと水受け部２１Ｂとで形成される空間に溜まり、ここに溜まった尿の自重によって水車２１が回転する。水受け部２１Ｂは、尿を適切に溜めることができるよう、水車の回転半径に対して傾斜して設けられている。
【００３０】
このような水車２１の回転によって、標的玩具１は、小用時における標的として利用しようとする興味を持たせることができ、尿の便器外への飛散を防止する効果を高めることができる。
【００３１】
標的玩具１のさらに好ましい使用形態においては、水車２１の各外周面に任意の文字や図柄（数字、おみくじ、標語等）の記載されたシールが貼付される。これにより、水車２１が回転した後、使用者の正面で止まる面の文字や図柄がランダムに現れることになる。これによって、使用者の興味を誘って、標的玩具１を小用時の標的として使用させることができ、尿の便器外への飛散を防止する効果をさらに高めることができる。
【００３２】
水車２１は、小さな力でも回転しやすいように、その内部を空間とすることが好ましいが、この内部空間には消臭剤や芳香剤を格納可能であっても良い。この場合、消臭剤や芳香材を所定の容器３０（図５参照）に格納し、水車２１の回転軸に対して取り付ける構造としても良い。この場合、容器３０は、水車２１と一体的に回転するものである必要は無い。あるいは、水車２１の一部（例えば、水車の外周面の何れか一箇所）を開閉可能とし、開放した箇所からビーズ状の消臭剤や芳香材を水車２１の内部空間に補充できる構成としても良い（図６参照）。
【００３３】
また、水車部２０は、水車２１の回転を適切な位置（水車の外周面の一つが使用者から見え易くなる位置）で停止させるための停止手段を備えていても良い。このような停止手段は、例えば、水車２１の側面（多角形面）および支持材２２Ａの内面（水車２１に対向する面）の一方に係合凸部（図示せず）を、他方に係合凹部（図示せず）を形成する構成が考えられる。このような構成の停止手段においては、係合凸部と係合凹部との係合深さを適切に設定すれば、水車２１がある程度の速度を持って回転しているときにはその回転を阻害せず、回転速度が弱まった時には係合凸部と係合凹部との係合によって水車２１の回転を停止させることができるものとする。
【符号の説明】
【００３４】
１    標的玩具
１０    受け部
１１    尿受け容器
１１Ａ  孔
１２    支持台
１３    １３
２０    水車部
２１    水車
２１Ａ  フランジ部
２１Ｂ  水受け部（傾斜部材）
２２    支持台
２２Ａ  支持材
２３    吸盤
３０    容器
【図１】
0003189324.tif 000003
【図２】
0003189324.tif 000004
【図３】
0003189324.tif 000005
【図４】
0003189324.tif 000006
【図５】
0003189324.tif 000007
【図６】
0003189324.tif 000008